(57)【要約】      （修正有）【課題】グラス、コップ、ボトル等の飲料容器を載置するコースターなどに適用することができ、幻想的な外観を実現することができる装飾具を提供する。【解決手段】内側壁１０１１に囲われた空間１１０を構成する筒体１０１の内側壁に発光素子１０２を配し、前記筒体１０１の開口が、発光素子１０２からの光を反射させるように第１の反射面（マジックミラー膜１０３２）、第２の反射面（鏡面膜１０３３）で挟まれているとともに、前記第１の反射面は、透明のプラスチック板１０３１にマジックミラー膜１０３２を貼付して構成する。【選択図】図３
0003156833.tif 000002
【実用新案登録請求の範囲】
【請求項１】
内側壁に囲われた空間を構成する筒体の内側壁に発光素子が配されるとともに、
前記筒体の両開口は、前記発光素子からの光を反射させるように第１の反射面、第２の反射面で挟まれているとともに、前記第１の反射面、第２の反射面の少なくとも一方はマジックミラーとなっている
ことを特徴とする装飾具。
【請求項２】
前記筒体開口の一方は、前記筒体と一体に成型した底面部でふさがれ、当該底面部の前記空間側に反射面としての鏡面が形成されている
ことを特徴とする請求項１に記載の装飾具。
【請求項３】
前記開口の一方は、透明板でふさがれ、
当該透明板にマジックミラー膜が貼付されている
ことを特徴とする請求項１又は２に記載の装飾具。
【請求項４】
前記発光素子は半導体発光素子である
ことを特徴とする請求項１から３のいずれかに記載の装飾具。
【請求項５】
前記発光素子は発光ダイオード又はＥＬ素子である
ことを特徴とする請求項１から４のいずれかに記載の装飾具。
【請求項６】
前記発光素子は、自動車のシガレット電源から電源供給を受けて発光する
ことを特徴とする請求項１から５のいずれかに記載の装飾具。
【請求項７】
前記装飾具は、飲料容器を載置することが可能なコースターとして用いられる
ことを特徴とする請求項１から６のいずれかに記載の装飾具。
【請求項８】
前記筒体の高さは、約７ｍｍから１５ｍｍ程度であり、
前記発光素子は、前記筒体の高さ方向ほぼ中央部に配されている
ことを特徴とする請求項１から７のいずれかに記載の装飾具。
【請求項９】
前記発光素子の光が前記第１の反射面及び前記第２の反射面で各々反射することにより、マジックミラー側から見た場合に、前記発光素子が奥深くまで配されているように見える
ことを特徴とする請求項１から８のいずれかに記載の装飾具。
【請求項１０】
前記マジックミラー側から見た場合に、
奥行き方向に、実際に配されている発光素子の数の４倍以上の数の発光素子が配されているように見える
ことを特徴とする請求項９に記載の装飾具。
【考案の詳細な説明】
【技術分野】
【０００１】
本考案は、例えばコップ、グラス、ボトル等の飲料容器を載置するコースターに適用することが可能であり、幻想的な外観を呈する装飾具に関する。
【背景技術】
【０００２】
内部に発光素子が配されたコースターの例として、周囲の光量のレベルに応じて発光制御、例えば発光ユニットの色、輝度及び点滅状態の少なくとも１つを変更する制御が可能なコースターが特許文献１に開示されている。また、内部にＬＥＤとプッシュスイッチが取り付けられ、載置面上にコップが置かれ、当該コップ内に所定量以上の飲み物が入っている場合は、そのコップの重みで載置台が沈み、プッシュスイッチがオンとなってＬＥＤが点灯する照明装置付きコースターが特許文献２に開示されている。さらに特許文献３には、７色の光を発するＬＥＤを取り付け反射板にて反射させることによりグラス全体を輝かせるコースターが開示されている。
【先行技術文献】
【特許文献】
【０００３】
【特許文献１】特開２００９−１３６６３３号公報
【特許文献２】特開２００６−２０９２６号公報
【特許文献３】特開２００５−１３６７６号公報
【考案の概要】
【考案が解決しようとする課題】
【０００４】
特許文献１に記載の技術では、光量レベルを検出するセンサ等を備える必要があり、製造コストの上昇を招来するという問題がある。特許文献２に記載のコースターでは、プッシュスイッチを用いるため、同様に製造コスト上昇の問題が生じ得る。特許文献３に記載のコースターは、グラスをＬＥＤで照射するものであるが、単にグラスを輝かせるにとまり、コースター自体が幻想的な外観を呈するものではない。
【０００５】
本考案は、例えばコップ、グラス、ボトル等の飲料容器を載置することができるコースター等に適用することが可能であり、これまでに無い、幻想的な外観を実現することができる装飾具を提供することを目的としている。
【課題を解決するための手段】
【０００６】
上記の問題点を解決するために、本考案に係る装飾具は、内側壁に囲われた空間を構成する筒体の内側壁に発光素子が配されるとともに、前記筒体の両開口は、前記発光素子からの光を反射させるように第１の反射面、第２の反射面で挟まれているとともに、前記第１の反射面、第２の反射面の少なくとも一方はマジックミラーとなっていることを特徴としている。
【０００７】
本考案の構成においては、発光素子の点灯時、発光素子の光が第１の反射面、第２の反射面で各々反射されることにより、マジックミラー側から見た場合に、発光素子が奥深くまで配されているように見え、幻想的な外観を実現することができる。例えば夜間や暗い店内において極めて効果的である。なお、発光素子を挟む第１、第２の反射面は、開口全体を覆うように形成しても良いが、必ずしも筒体の開口全体を覆うように構成される必要はなく、開口の一部（例えば中央部）には反射面を形成しないような構成も含まれる。
【０００８】
前記筒体開口の一方は、前記筒体と一体に成型した底面部でふさがれ、当該底面部の前記空間側に反射面としての鏡面が形成されている構成とすることができるが、これに限定されないことは、以下に詳細に説明する通りである。
【０００９】
前記開口の一方は、透明板でふさがれ、当該透明板にマジックミラー膜が貼付されている構成とすることができるが、マジックミラーとする方法はマジックミラー膜に限定されない。
【００１０】
前記発光素子として半導体発光素子を用いると、その光の性質上、装飾に、より好適である。前記発光素子は発光ダイオード又はＥＬ素子である構成とすることができる。
【００１１】
前記発光素子は、自動車のシガレット電源から電源供給を受けて発光する構成とすれば、自動車内で用いるのに好適であるが、電源としては、各種電池やＡＣアダプタを用いることも可能であるし、電源コードに、発光素子オン、オフのスイッチを設けても良い。
【００１２】
前記装飾具は、飲料容器を載置することが可能なコースターとして用いられる構成とすれば、飲料容器が発光素子に照らされて、その外観は、さらに幻想的となり、商品としての魅力は大きいが、他の装飾に用いることもできる。
【００１３】
前記筒体の高さは、約７ｍｍから１５ｍｍ程度であり、前記発光素子は、前記筒体の高さ方向ほぼ中央部に配されている構成とすることができるが、この配置に限定されることはない。
【００１４】
前記発光素子の光が前記第１の反射面及び前記第２の反射面で各々反射することにより、マジックミラー側から見た場合に、前記発光素子が奥深くまで配されているように見えることが、本願考案の最大の訴求点である。実物を見た消費者は、購買意欲をわきたてられる。もっとも、このような外観を実現することができる限り、前記筒体の両開口全体を反射面で覆う必要は無いこととなる。
【００１５】
本考案の装飾具では、前記マジックミラー側から見た場合に、奥行き方向に、実際に配されている発光素子の数の４倍以上の数の発光素子が配されているように見える。例えば、１個の発光素子を配した場合、奥行き方向に４個以上の発光素子が見える。後述するように、外観はマジックミラー等の設計により変わり得るけれども、徐々に大きさ、若しくは明るさを減じつつ奥深くまで発光素子が配されているように見える様は、これまでに無い幻想的なものである。
【考案の効果】
【００１６】
本考案に係る装飾具によると、これまでに無い、幻想的な外観を実現することができるという効果を奏する。
【図面の簡単な説明】
【００１７】
【図１】本考案の実施の形態における装飾具の概略構成の一例について説明するための平面図である。
【図２】図１の装飾具におけるＡ−Ａ線矢視断面図である。
【図３】図２におけるＢ部分の拡大図である。
【図４】ＬＥＤ１０２点灯時の様子について説明するための斜視図である、
【図５】本考案の他の実施の形態における、図３に相当する拡大断面図である。
【図６】平面視円形の装飾具について、発光素子点灯時の外観を示す図面代用写真である。
【図７】平面視ほぼ正方形の装飾具について、発光素子点灯時の外観を示す図面代用写真である。
【考案を実施するための形態】
【００１８】
以下、本考案の実施の形態について、図面を参照しながら説明する。
図１は、本考案の実施の形態における装飾具の概略構成の一例について説明するための平面図である。また、図２は、図１の装飾具１００におけるＡ−Ａ線矢視断面図である。
【００１９】
装飾具１００は、内側壁１０１１で囲われた空間１１０（図２参照）を形成する筒体１０１の内側壁１０１１に発光素子１０２が配されて構成されている。図１では、一個の発光素子のみ符号１０２を付しているが、図１中、内側壁１０１１側に配された１８個の半円形は、全て発光素子を表している。発光素子としては、例えば青色の発光ダイオード（ＬＥＤ）を用いることができる。発光素子としてＬＥＤなどの半導体発光素子を用いる場合、その色は任意であり、青色の他、白、赤、ピンク、緑等を用いることもできるし、それらを混合して配しても良い。発光素子の数も任意であり、１８個に限定されないのは勿論であるが、好ましくは、２個以上、より好ましくは４個ないし８個以上の発光素子を配することが好適である。発光素子同士の間隔も任意で良いけれども、美観の点からは、ほぼ等間隔とすると良い。
【００２０】
発光素子１０２は、ＬＥＤに限定されず、ＥＬ素子等、他の発光素子を配する構成も可能である。点灯時の美観の観点からは半導体発光素子を用いることは好ましいことである。商品化に際しては、売価や製造コスト等を勘案して、各部材を適宜選択することができ、これは発光素子だけでなく、筒体１０１や、後述する鏡面、マジックミラーなどについても同様である。なお、図１の例では筒体１０１は平面視円形としているが、上方から見た形状も任意の設計が可能であり、正方形、正多角形など、種々の形状が考えられる。いずれの形状でも、内側壁に発光素子１０２を配し、筒体１０１の両開口の双方で発光素子１０２からの光を反射させるとともに、開口の少なくとも一方をマジックミラーとすれば、後述するように極めて幻想的な外観が実現される。
【００２１】
図１に示す電源は、発光素子１０２を点灯させるための電源であり、例えば自動車のシガレット電源（１２Ｖ）を用いることができるが、これに限定されず、例えば各種電池（例えば１２Ｖ電池）、ＡＣアダプタなどを用いるような設計も可能である。
【００２２】
筒体１０１は、例えば、適度な硬度を有するプラスチックを成型して作製することができ、自動車中で、コップなどボトルなどの飲料容器を載値するコースターとして用いる場合、図１に示す外径Ｂは、例えば約６５ｍｍとすることができる。筒体１０１自体の厚みは、発光素子１０２を配し、点灯させるための配線等に必要な厚さとすればよく、より具体的には、例えば約２〜３ｍｍ程度とすることができる。なお、本実施の形態では、コースターとして用いることが可能な装飾具について詳細に説明するが、用途がコースターに限定される趣旨ではなく、室内装飾に用いても良い。
【００２３】
図２において、筒体１０１の図中下方の底面部１０１２は、不透明なプラスチックで前記筒体１０１と一体成型されており、底面部１０１２を含む筒体１０１の高さＤは、例えば８ｍｍから１５ｍｍ程度、好ましくは１０ｍｍ程度とすると、自動車内にてコップ等の飲料容器を載置するホルダに装着することができ、好適であるが、高さＤも１０ｍｍ程度に限定されることはない。
【００２４】
図３は、図２の符号Ｃ部分の拡大断面図である。筒体１０１の開口は、透明なプラスチック板１０３１でふさがれており、プラスチック板１０３１の空間１１０側には、前記開口をマジックミラーとするための膜１０３２（例えば東レ  ルミラー  ＮＯ．ＬＯ  ０５７３、を用いることができるが、これに限定されない。マジックミラーとする膜を、以下、「マジックミラー膜」という。）が貼付されている。マジックミラー膜は、本実施の形態では第１の反射面を構成し、発光素子１０２の光を、図３中、矢印Ｆ方向に反射するとともに、発光素子１０２からの光の一部を矢印Ｇ方向に透過させる。
【００２５】
また、底面部１０１２の空間１１０側には、鏡面（第２の反射面）とするための鏡面膜１０３３が形成されており、発光素子１０２の光は鏡面膜１０３３で矢印Ｅ方向に反射する。
【００２６】
図３において、発光素子１０２を点灯した場合、発光素子１０２の光は、マジックミラー膜（第１の反射面）１０３２、鏡面膜（第２の反射面）１０３３の双方で反射するとともに、上記したように、光の一部がマジックミラー膜１０３２を透過することにより、極めて幻想的な外観が実現される。図４は、発光素子１０２点灯時の外観について説明するための斜視図である。
【００２７】
図４に示されるように、マジックミラー側から見た場合に、発光素子１０２が奥深くまで配されているように見える。本実施の形態では、第２の反射面が鏡面であるから、奥行き方向２番目の外観は、実際の発光素子１０２と略同一の外観となる。外観は、第１の反射面、第２の反射面の構成方法によっても少し異なったものとなり得るが、両反射面での反射により、実際に配されている発光素子は一個でも奥行き方向に多数（例えば４個以上、より好ましくは６個以上、実際の試作品では７〜８個以上）の発光素子が配されているように見える（図６、図７の図面代用写真参照、なお平面視円形や略正方形に限定されないことは前記した）。しかも、奥行き方向３番目以降は徐々に大きさ、若しくは明るさが減少していくような外観となる。目視にて見える発光素子の数は無限ではなく、有限であり、奥行き方向最後の方では、見た目で小さい、暗い像となるが、あたかも洞窟の奥を見るかの如き幻想的な外観となる。
【００２８】
なお、図３の例では、筒体１０１と底面部１０１２とをプラスチックで一体成型したが、材料はプラスチックに限定されないし、必ずしも完全に不透明でなくてもよい。また、底面部１０１２は、筒体１０１と一体成型でなく、別部材として空間１１０側が鏡面となるような構成でも良い。プラスチック板１０３１は、プラスチック製に限定されないし、マジックミラー膜１０３２は、空間１１０側に貼付するのではなく、外側に貼付しても良い。さらに、マジックミラーとする方法は、マジックミラー膜１０３２の貼付に限定されない。
【００２９】
さらに、本実施の形態では、発光素子１０２を図２の高さＤ方向には１個を配置し、内側壁１０１１に計１８個の素子を、高さＤ方向略中央に配するようにしたが、この配置方法に限定されるわけではなく、高さＤ方向に複数列の発光素子を配置したり、高さＤを少し厚めにして、発光素子の高さＤ方向の位置を異ならせるような配置の方法も考えられる。
【００３０】
以上に説明したように、本実施の形態の装飾具によると、発光素子からの光が第１の反射面（マジックミラー）、第２の反射面（上記実施の形態では鏡面）でそれぞれ反射されて、マジックミラーの側から見た場合に、発光素子が奥深くまで配されているように見えるとともに、マジックミラー側での光の透過度合いに応じ、奥深いほどその大きさ、明るさが徐々に減じていくような、極めて幻想的な外観を実現することができる。本考案の装飾具は、自動車内のホルダや飲食店など、グラス、コップ、ボトル等の飲料容器を載置するコースターに適用することができ、例えば夜間の自動車内や暗い店内などで用いれば、コースター自体の幻想的な外観に加えてグラス等を発光素子の光で装飾することができ、これまでに無い装飾具として、実用に供した場合の効果、商品としての魅力は極めて大きいものである。
【００３１】
なお、上記実施の形態では、図３に示す如く、第２の反射面として、筒体１０１と一体成型した底面部１０１２の空間１１０側に鏡面膜１０３３を形成したが、例えば図５に例示するように、筒体１０１の両開口をマジックミラーとする構成としても良い。同図５の構成では、矢印Ｈ方向にも光の一部が透過するため、両面から見た場合に各々図４のような幻想的な外観が実現される。同図５の例では、筒体１０１の両開口を、それぞれ透明のプラスチック板１０３１、１０３４で挟み、それぞれ空間１１０側にマジックミラー膜１０３２、１０３５を貼付している。マジックミラー膜１０３２、１０３５には別の符号を付しているが、膜の一部が接続されているような形態も可能である。マジックミラー膜１０３２、１０３５は同一の材料でも良いし、異なる材料を用いても良い。マジックミラー膜は空間１１０側への貼付に限らず、プラスチック板の外側に貼付しても良いし、マジックミラーとする方法が膜の貼付に限定されないことは前記図３の場合と同様である。
【００３２】
さらに、発光素子１０２を挟む第１、第２の反射面は、必ずしも筒体１０１の開口全体を覆うように構成される必要はなく、発光素子１０２が奥深くまで配されているような外観を実現することが可能であれば、開口の一部（例えば中央部）には反射面を形成しないような構成も可能である。
【産業上の利用可能性】
【００３３】
本考案の装飾具は、例えば、グラス、コップ、ボトル等の飲料容器を載置するコースターなどに適用することができる。
【符号の説明】
【００３４】
１００                  装飾具（例えばコースター）
１０１                  筒体
１０１１                内側壁
１０１２                底面部
１０２                  発光素子
１０３１、１０３４      プラスチック板
１０３２、１０３５      マジックミラー膜
１０３３                鏡面膜
【図１】
0003156833.tif 000003
【図２】
0003156833.tif 000004
【図３】
0003156833.tif 000005
【図４】
0003156833.tif 000006
【図５】
0003156833.tif 000007
【図６】
0003156833.tif 000008
【図７】
0003156833.tif 000009